(57)【要約】 【課題】任意の瞬間における現行設定を知るために、設定サーバに報告を頻繁に求めたり、通信要件を大幅に高めたりしないこと。【解決手段】  測定システムにおいて使用するプローブであって、前記プローブについての可能な設定にふさわしいデータを記憶するメモリと、前記可能なプローブ設定のうちの１つを選択するプロセッサと、を備えるプローブ。さらに、位置決定装置を備え、前記可能なプローブ設定が、前記プロセッサによって使用され、前記測定システムの制御装置コントローラによって提示された前記プローブの確定位置に、少なくとも部分的に基づいて前記可能な設定から設定を選択する位置パラメータを含むことは好ましい。  【選択図】図３
2007087386.tif 000002
【特許請求の範囲】
【請求項１】
測定システムにおいて使用するプローブであって、
前記プローブについての可能な設定にふさわしいデータを記憶するメモリと、
前記可能なプローブ設定のうちの１つを選択するプロセッサと、を備えるプローブ。
【請求項２】
さらに位置決定装置を備え、前記可能なプローブ設定が、
前記プロセッサによって使用され、前記測定システムの制御装置コントローラによって提示された前記プローブの確定位置に、少なくとも部分的に基づいて前記可能な設定から設定を選択する位置パラメータを含む、請求項１に記載のプローブ。
【請求項３】
前記プロセッサが、前記プローブの確定位置によって前記プローブ設定を時々変更するように動作可能である、請求項２に記載のプローブ。
【請求項４】
前記プロセッサのプローブ設定の選択が、前記プローブに固有の要因に依存する、請求項１に記載のプローブ。
【請求項５】
前記プローブにふさわしいパラメータをデータ収集ポイントに通信するための通信装置をさらに備える、請求項１に記載のプローブ。
【請求項６】
前記可能なプローブ設定が、前記データ収集ポイントから前記プローブに通信される、請求項５に記載のプローブ。
【請求項７】
前記可能な設定が、前記プローブから通信された前記プローブパラメータに依存する、請求項６に記載のプローブ。
【請求項８】
前記可能なプローブ設定データが、少なくとも１つの実行可能なソフトウェアモジュールである、請求項１に記載のプローブ。
【請求項９】
複数の離間されたプローブに設定データを受け取るステップを含み、各プローブの前記設定データが、前記プローブの可能な設定のリストであり、
それぞれの前記プローブの制御下で、前記可能な設定のリストから前記プローブが使用する設定を選択するステップと、を有する測定システムで使用される方法。
【請求項１０】
前記設定データにより測定値を通信するステップをさらに含む、請求項９に記載の方法。
【発明の詳細な説明】
【技術分野】
【０００１】
本発明は、測定装置設定に関し、より詳細には測定装置設定を選択的に配布するシステムおよび方法に関する。
【背景技術】
【０００２】
一般に、測定システムは、観測しているシステム内の特定位置におけるデータを得るためにいくつかの個別の測定装置（プローブ）を使用する。また、測定システムは、一般に、例えばプローブの識別、タイプ、測定単位などを知ることによって各プローブを管理する。この各プローブに関する情報（メタデータと呼ばれる）は、様々なプローブからのデータを解釈しプローブを設定(configuration)するために、測定システムのデータベースに記憶される。
【発明の開示】
【発明が解決しようとする課題】
【０００３】
プローブが数千（または数百万）もあるシステムでは、設定情報を装置に配布することはサーバにとってもプローブにとっても厄介である。例えば時間や位置や別の測定量のような基準に基づく２万の異なる設定を有するシステムを検討されたい。設定データのすべてのセットをすべてのプローブに通信することは、ネットワーク帯域幅とプローブ資源の両方の点で厄介である。しかしながら、プローブは、任意の瞬間における現行設定を知らなければならず、設定サーバに報告を頻繁に求めることは通信要件を大幅に高めることになる。
【課題を解決するための手段】
【０００４】
測定システムにおいて、プローブの領域と関連した領域の状況により、可能な設定データをプローブに提供するプローブ設定が達成される。可能なプローブ設定には、時間などの広域的な境界があり、各プローブは、可能な設定に基づいて設定を選択する。１つの実施形態において、プローブは、中央処理装置と対話してプローブ設定をさらに定義することができる。１つの実施形態において、プローブは、他のプローブと通信して、プローブの動作環境の定義を支援しかつ必要に応じて設定データを別のプローブに提供する。
【発明を実施するための最良の形態】
【０００５】
図１は、複数の離間したプローブを有する試験測定システムの１つの実施形態１０を示す。本明細書で教示する概念は、データ収集ポイントが各プローブごとのメタデータ（またはパラメータデータ）を有する任意のシステムで使用することができる。以下の考察では、プローブ２０−１〜２０−Ｎなどの様々なプローブからデータ収集ポイントにメタデータを通信する試験システムについて説明する。この例において、センサ２０−１は、（例えば）温度測定値を生成し、試験システムの要求に応じてメタデータ（メタデータが要求される場合）をレポートするように設計されたセンサである。センサは、必要に応じて、通常の計画された温度読み取りを省略することにより場合によってメタデータの一部分または全てを伝送してもよく、メタデータ伝送をランダム（例えば、１時間に１回、１日に１回など）に挿入してもよく、バッテリレベルが高くなるのを待ってもよく、状況に有効な他の便宜的(opportunistic)基準を使用してもよい。
【０００６】
図１の実施形態において、プローブ２０−１からのデータは、ネットワーク１２によって無線または有線またはそれらの組み合わせでデータ収集機構１１に送られる。ネットワークを使用しなくてもよく、プローブ２０−１〜２０−１４の通信のいくつかまたは全てが、例えばＢｌｕｅｔｏｏｔｈプロトコルなどの１つまたは複数の無線プロトコルを使用するポイントツーポイント通信でよいことに注意されたい。
【０００７】
図２は、メタデータを送るための様々な制御機構を有するプローブの１つの実施形態２０を示す。この実施形態において、メタデータは記憶装置２１に収容され、プローブからのデータ（例えば、入力２５により得られたデータ）は、記憶装置２３に記憶される。必要に応じて、記憶装置２１と２３は同一の記憶装置でもよいことに注意されたい。また、プローブ２０から送られた測定データは、記憶されなくてもよく、収集されたときに入力２５から直接送られてもよいことに注意されたい。入力２５は、データを測定し、データを検出し、または状態を検出し、「検出」結果をレポートすることができる。さらに、他のセンサから入力２５にデータを提供することができる。本明細書における考察において、プローブ２０から送られる測定データは、そのようなデータを集めて送る任意のモードまたは方式を含む。この実施形態において、データは、プロセッサ２２とコミュニケータ(communicator:通信装置)２４の制御下で送られる。
【０００８】
制御ユニット２０１〜２０６は、「ＳＹＳＴＥＭ  ＡＮＤ  ＭＥＴＨＯＤ  ＦＯＲ  ＴＥＳＴ  ＰＲＯＢＥ  ＭＡＮＡＧＥＭＥＮＴ」と題する前述の特許出願に記載されているような様々な便宜的メタデータ転送を可能にし、それぞれのそのようなメタデータ転送は、通常、プローブから送られたデータを完全に利用するために装置１１（図１）などの装置に収集されたデータに必要なすべてのメタデータよりも少ない。また、すべてのプローブにすべての制御ユニット２０１〜２０６が必要なわけではなく、プローブが、他の便宜的イベントを制御するために地理的位置決定機構２７などの他の制御部、タイマまたはセンサを備えることができることに注意されたい。多くの状況において、そのような便宜的データ転送は不要であり、そのようなメタデータが必要な場合にはメタデータをすべて一度に送信することができる。
【０００９】
図３は、測定システムのプローブ設定機構の１つの実施形態３０を示す。プロセス３０１では、プローブからデータを受け取り、プロセス３０２では、そのプローブが再設定を必要とするプローブ（新しいプローブ、または何らかの理由で設定を変更しなければならないプローブなど）かどうかを判定する。プローブを設定しなくてもよい場合は、プロセス３０３では、プローブからのデータを従来の方法で記憶する。
【００１０】
プローブを設定または再設定しなければならない場合、プロセス３０４では、十分な設定情報（例えば、メタデータなど）が利用可能かどうかを判定する。十分な設定情報が利用できない場合は、プロセス３０９によってメタデータを収集しなければならない。
【００１１】
プロセス３０５では、プローブ設定を決定するために既存のメタデータ（または、他の設定データ）にアクセスする。プロセス３０６では、メタデータ（または、プローブ設定を適切に決定することができる他の情報）に基づいて、プローブ（または１組のプローブ）が設定を変更すべきかどうかを判定する。新しい設定を必要とする場合、プロセス３０７は、新しい設定に関する１組の「候補（ｓｕｇｇｅｓｔｉｏｎ）」を収集し、プロセス３０８で、その新しい設定候補をそのプローブ（または複数のプローブ）に送る。この通信は、例えばネットワーク１２（図１）などの１つまたは複数のリンクを介したものでもよい。通信は、有線または無線を含む任意の所望の通信媒体を使用しまた１つまたは複数の任意の通信プロトコルを使用する、ポイントツーポイント通信でよい。それぞれのプローブ間の通信は同じなくてもよいことに注意されたい。また、設定データはプローブ内で実行するソフトウェアモジュールでよいことに注意されたい。このソフトウェアモジュールは、活動化されたときにプローブの動作を少なくとも部分的に制御する。
【００１２】
プロセス３０７において使用される「候補」は、サーバ（例えば、データ収集１１（図１））に何らかの最小限の設定のヒント（hints）を提供し、その結果、サーバは、プローブに全般的な設定の適切なサブセットを提供することができる。さらに、プローブに提供される設定は、提供された候補から設定を更新するタイミングをプローブが自分で決定できるようにする範囲（時間と位置）を有することができる。候補は、記憶装置２１または２３あるいは別の記憶装置（図示せず）などのデータ記憶装置に記憶されてもよく、例えば、プロセッサ２２と共に動作する設定更新機構２０７（図２）によって制御される。
【００１３】
動作の１つの例は、プローブがデータ収集機構１１（図１）と連絡をとり、プローブの現在の位置と能力を提供することである。データ収集機構（サーバ）は、そのデータベース（前述のような）を調べて、現在のプローブ位置のまわりの領域と時間に基づいて適切な設定を選択する。例えば、ある装置では２０ｋｍの境界枠（ｂｏｕｎｄｉｎｇ  ｂｏｘ）内の設定が適切と見なされ、別の装置では、３００メートルの境界枠内の設定が適切になる可能性がある。
【００１４】
境界枠を可能な設定（候補）のリストに適用することによって、現在適切な設定またはまもなく適切になりそうな設定だけがプローブに通信される。さらに、設定自体には、プローブが設定リストを更新することを決定するタイミングを決定する広域的な境界の仕様（global bounding specification）（時間など）が提供される。また、プローブは、好ましいかまたは処理することができる境界のタイプに関するヒントをサーバに提供することができる。プローブは、設定を使用し、どれをアクティブにするか選択する（ゼロ以上）。
【００１５】
プローブは、例えばプロセッサ２２と設定更新機構２０７の制御下で、設定を調整するための境界枠を監視し、境界を超えたときに更新のためにサーバと連絡をとる。例えば、１つの実施形態において、設定更新の境界枠は、プローブに提供される設定がカバーする領域の７５％である。この場合、プローブは、２０ｋｍ領域内で有効な設定候補が提供されるが、プローブが１５ｋｍ領域外で移動するときに更新する（または、新しい「候補」を得る）ように指示されることがある。これにより、プローブは、境界に近づくときにアクティブになったまま新しい設定を得る時間を提供することができる。
【００１６】
設定境界は、例えば、２つの角として指定された位置境界枠、開始時間と終了時間、および関与率（ｐａｒｔｉｃｉｐａｔｉｏｎ  ｐｅｒｃｅｎｔａｇｅ）のフィールドを含む。
【００１７】
関与率は、プローブが特定の設定を選択する見込みを指定する。例えば、関与率が１０％の場合、個々のプローブは、設定を時間の１０％だけ使用することを決定する。これにより、システムは、同じ測定を行なう可能性のある多数のプローブがあるときに過剰なデータを（個々のプローブの挙動を変化させることなく）削減することができる。
【００１８】
さらに他の設定仕様には、バッテリレベル、信号強度、速度、時間（分、時間、日、年など）、いくつかの他の仕様などの態様がある。例えば、プローブは、速度（または測定している速度）が、多くの場合地理的位置決定機構２７によって決定されるような３０ｍｐｈよりも早いときだけデータを収集するように指示される。
【００１９】
このシステムにはいくつかの長所がある。例えば、特定のプローブに関連する設定だけをそのプローブに通信すればよい。プローブ自体は、ある設定から別の設定への移行を管理することができ、またプローブがその設定の期限が終りに近いことを決定するときにサーバを調べるだけでよい。この処置によって、通信帯域幅が減少し、プローブを個別にではなく「集合で」管理することができる（例えば、関与率）。
【００２０】
本発明とその利点を詳細に説明したが、添付の特許請求の範囲によって定義されたような本発明の趣旨と範囲から逸脱することなく様々な変更、代用および修正を行なうことができることを理解されたい。さらに、本出願の範囲は、本明細書に示したプロセス、装置、製造、組成物、手段、方法およびステップの特定の実施形態に限定されない。当業者は本発明の開示から容易に理解できるように、本発明は、本明細書に示した対応する実施形態と実質的に同じ機能を実行しあるいは実質的に同じ結果を達成するプロセス、装置、製造、組成物、手段、方法またはステップを利用することができる。したがって、添付の特許請求の範囲は、そのようなプロセス、装置、製造、組成物、手段、方法またはステップを範囲に含むように意図される。
【図面の簡単な説明】
【００２１】
【図１】多プローブ測定システムの１つの実施形態を示す図である。
【図２】メタデータを送るための様々な制御部を有するプローブの１つの実施形態を示す図である。
【図３】測定システムのプローブ設定機構の１つの実施形態を示す図である。
【符号の説明】
【００２２】
１１  データ収集ポイント
２０−１  プローブ
２１  メモリ
２２  プロセッサ
２４  通信装置
２７  位置決定装置
３０  プローブ設定
【図１】
2007087386.tif 000003
【図２】
2007087386.tif 000004
【図３】
2007087386.tif 000005